(57)【特許請求の範囲】
【請求項１】
複数の支持体の後部を、左右方向を向く横連結材に、その左右方向の任意の部位に結合しうるようにした結合手段をもって連結し、前記支持体上に天板を設けるとともに、前記横連結材と天板との間に、上方に開口する左右方向に長い配線挿通空間を形成し、前記支持体に下端部が支持され、かつ上端部で机上配設物を支持する支柱を、前記配線挿通空間における左右方向の任意の部分を上下方向に挿通させ、前記配線挿通空間における支柱の挿通部分を除く部分を、左右方向の幅が異なる複数のカバーをもって、適宜並び替えることにより、閉塞しうるようにしたことを特徴とするデスク装置。
【請求項２】
支持体に対する支柱の取付位置を一定とし、横連結材の側端に対する支持体の取付位置を、横連結材の側端が支持体の中心に整合するセンター位置と、横連結材の側端が支持体の外側および内側の側面とほぼ整合する２つの偏位位置とに変更可能とし、かつカバーが、左右方向の寸法を、前記センター位置から一方の偏位位置までの距離に等しい第１の調整カバーと、左右方向の寸法を、前記第１の調整カバーの倍とした第２の調整カバーとを備えるものとした請求項１記載のデスク装置。
【請求項３】
カバーが、配線挿通空間における最も近接して取り付けたときの左右１対の支柱間を閉塞する１個または複数個のメインカバーを備えるものとした請求項２記載のデスク装置。
【請求項４】
横連結材と天板とカバーとのそれぞれの上面を、互いに同一面とした請求項１〜３のいずれかに記載のデスク装置。
【請求項５】
横連結材の前面に、左右方向を向く係止溝を設け、この係止溝に、左右方向に移動可能として装着した受け部材をもって、各カバーを支持するようにした請求項１〜４のいずれかに記載のデスク装置。
【請求項６】
係止溝を、開口部の幅より奥部の幅を大としたあり溝とし、受け部材を、カバーを受支する受支部の後面に突設した軸部の後端に、左右幅を係止溝の開口幅より小とし、上下幅を係止溝の開口幅より大で、かつ係止溝の奥部の幅とほぼ同一かまたはそれより小とした拡幅頭部を備えるものとし、さらに、前記拡幅頭部に、係止溝の奥部内において、前後方向を向く軸回りに回転させる際に、係止溝の奥部の内面に圧接して、回動抵抗を付与するようにした弾性片を設けた請求項５記載のデスク装置。
【請求項７】
受け部材の受支部を、カバーの後端部を枢支する左右方向の枢軸部と、前記カバーが前方を向く水平位置に位置しているときに、前記カバーの下面に当接するようにしたストッパとを備えるものとした請求項６記載のデスク装置。
【請求項８】
受け部材の受支部を、軸部の前端に連設された垂直板状の拡幅鍔部により構成し、いずれかのカバーの後端に設けた垂下片を、横連結材の前面と、それに装着された受け部材の拡幅鍔部との間に差し込んで、前記カバーを支持するようにした請求項６記載のデスク装置。
【請求項９】
支柱の前後幅を、配線挿通空間の前後幅より小とし、支柱と配線挿通空間の前後壁との間に形成される空隙に、配線を挿通しうるようにした請求項１〜８のいずれかに記載のデスク装置。
【発明の詳細な説明】
【技術分野】
【０００１】
本発明は、天板の後方に配線挿通空間を設けたデスク装置に関する。
【背景技術】
【０００２】
従来のデスク装置には、天板の後方に、配線ダクトと、棚板やキャビネット等の机上配設物を支持する支柱とを設けたものがある（例えば特許文献１または２参照）。
【特許文献１】特開２００３−１５９１２６号公報
【特許文献２】特開２００６−８１９２２号公報
【発明の開示】
【発明が解決しようとする課題】
【０００３】
しかし、特許文献１および２に記載されているものにおいては、配線ダクトの配線収容空間を妨げないようにするため、机上配設物を支持する支柱を、天板上に立設するか、または天板の後部を切り欠いて、そこに支柱を嵌合しているので、支柱によって、天板上の作業面積が妨げられる。
【０００４】
机上配設物を支持する支柱を、配線ダクト内において立設することにより、上記の問題は解決されるが、配線ダクト内に支柱を立設すると、配線ダクトの上面を覆うカバーのレイアウトを変更しなければならない。
【０００５】
特に、複数の脚や袖箱等の支持体の後部を、左右方向を向く横連結材により連結し、上記支持体上に、複数の天板を左右方向に並べて支持させるようにし、それらの天板と横連結材との間に、配線挿通空間を形成するようにした横長のデスク装置においては、配線挿通空間内に配設する支柱の支持体への取付位置を一定としても、横連結材の側端に対する支持体の取付位置が、状況に応じて変化したり、または意図的に、横連結材に対する支持体や支柱の取付位置を変更したいことがある。
このような場合に、支柱から配線挿通空間の側端、すなわち横連結材の側端までの距離が変動し、それに合わせて、配線挿通空間の上方を覆うカバーとして、左右方向の長さが異なる複数種類のものを用意しておかなければならない。
【０００６】
本発明は、従来の技術が有する上記のような問題点に鑑み、配線挿通空間の側端から、配線挿通空間内に配設した支柱までの距離が変動しても、配線挿通空間を覆う複数のカバーを並び替えるだけで、余分なカバーを用意しておくことなく、効率よく、確実に配線挿通空間の上方を覆うことができるようにしたデスク装置を提供することを目的としている。
【課題を解決するための手段】
【０００７】
本発明によると、上記課題は次のようにして解決される。
(１)  複数の支持体の後部を、左右方向を向く横連結材に、その左右方向の任意の部位に結合しうるようにした結合手段をもって連結し、前記支持体上に天板を設けるとともに、前記横連結材と天板との間に、上方に開口する左右方向に長い配線挿通空間を形成し、前記支持体に下端部が支持され、かつ上端部で机上配設物を支持する支柱を、前記配線挿通空間における左右方向の任意の部分を上下方向に挿通させ、前記配線挿通空間における支柱の挿通部分を除く部分を、左右方向の幅が異なる複数のカバーをもって、適宜並び替えることにより、閉塞しうるようにする。
【０００８】
(２)  上記(１)項において、支持体に対する支柱の取付位置を一定とし、横連結材の側端に対する支持体の取付位置を、横連結材の側端が支持体の中心に整合するセンター位置と、横連結材の側端が支持体の外側および内側の側面とほぼ整合する２つの偏位位置とに変更可能とし、かつカバーが、左右方向の寸法を、前記センター位置から一方の偏位位置までの距離に等しい第１の調整カバーと、左右方向の寸法を、前記第１の調整カバーの倍とした第２の調整カバーとを備えるものとする。
【０００９】
(３)  上記(２)項において、カバーが、配線挿通空間における最も近接して取り付けたときの左右１対の支柱間を閉塞する１個または複数個のメインカバーを備えるものとする。
【００１０】
(４)  上記(１)〜(３)項のいずれかにおいて、横連結材と天板とカバーとのそれぞれの上面を、互いに同一面とする。
【００１１】
(５)  上記(１)〜(４)項のいずれかにおいて、横連結材の前面に、左右方向を向く係止溝を設け、この係止溝に、左右方向に移動可能として装着した受け部材をもって、各カバーを支持するようにする。
【００１２】
(６)  上記(５)項において、係止溝を、開口部の幅より奥部の幅を大としたあり溝とし、受け部材を、カバーを受支する受支部の後面に突設した軸部の後端に、左右幅を係止溝の開口幅より小とし、上下幅を係止溝の開口幅より大で、かつ係止溝の奥部の幅とほぼ同一かまたはそれより小とした拡幅頭部を備えるものとし、さらに、前記拡幅頭部に、係止溝の奥部内において、前後方向を向く軸回りに回転させる際に、係止溝の奥部の内面に圧接して、回動抵抗を付与するようする。
【００１３】
(７)  上記(６)項において、受け部材の受支部を、カバーの後端部を枢支する左右方向の枢軸部と、前記カバーが前方を向く水平位置に位置しているときに、前記カバーの下面に当接するようにしたストッパとを備えるものとする。
【００１４】
(８)  上記(６)項において、受け部材の受支部を、軸部の前端に連設された垂直板状の拡幅鍔部により構成し、いずれかのカバーの後端に設けた垂下片を、横連結材の前面と、それに装着された受け部材の拡幅鍔部との間に差し込んで、前記カバーを支持するようにする。
【００１５】
(９)  上記(１)〜(８)項のいずれかにおいて、支柱の前後幅を、配線挿通空間の前後幅より小とし、支柱と配線挿通空間の前後壁との間に形成される空隙に、配線を挿通しうるようにする。
【発明の効果】
【００１６】
本発明によると、次のような効果を奏することができる。
請求項１記載の発明によると、左右方向の幅が異なる複数のカバーを並び替えるだけで、それらのカバーの左右方向の寸法に応じたピッチで、余分なカバーを用いることなく、配線挿通空間に対する支柱の位置を変更することができ、しかも、配線挿通空間の上方を余すことなく、効率よく、確実に覆うことができる。
【００１７】
請求項２記載の発明によると、デスクの側端や中間位置において、横連結材の側端を支持体の側面に揃えて、支持体と横連結材とを連結したり、横連結材の側端を支持体のセンター位置に揃えて、支持体と横連結材とを連結したりすることができ、しかも、いずれの場合も、第１の調整カバーと第２の調整カバーとを並び替えるだけで、配線挿通空間の上方を余すことなく、効率よく、確実に覆うことができる。
したがって、左右１対の支持体と、１枚の天板と１個の横連結材からなる単体のデスクとして構成する場合と、３個以上の支持体と、複数の天板および横連結杆を用いる多連型のデスク装置として構成する場合とのいずれの場合にも、すべての部材を共通して用いることができる。
【００１８】
請求項３記載の発明によると、配線挿通空間における左右１対の支柱間のうち、並び替えの必要のないコア部分を、長尺の共通のメインカバーにより覆うことができ、共通化を図ることができる。
【００１９】
請求項４記載の発明によると、横連結材と天板とカバーとのそれぞれの上面を、互いに同一面としてあるので、机上の体裁をよくすることができるとともに、作業面積を広くすることができる。
【００２０】
請求項５記載の発明によると、横連結材の前面に、左右方向を向く係止溝を設け、この係止溝に、左右方向に移動可能として装着した受け部材をもって、各カバーを支持するようにしてあるので、各カバーの並び替えを容易に行うことができる。
【００２１】
請求項６記載の発明によると、受け部材を、９０°側方に寝かした状態で、その拡幅頭部を、係止溝の開口より奥部まで挿入し、次いで、９０°逆の向きに回動させて、元の向きに戻すだけで、横連結材の所望の位置に簡単に装着することができる。
【００２２】
請求項７記載の発明によると、カバーを、受け部材の受支部に装着するだけで、水平の閉止位置から、後上方に回動させて、配線挿通空間を部分的に開くことができ、しかも着脱、分解が容易である。
【００２３】
請求項８記載の発明によると、カバーの垂下片を、横連結材の前面と、それに装着された受け部材の拡幅鍔部との間に差し込むだけで、カバーを容易に装着することができるとともに、構造が簡単である。
【００２４】
請求項９記載の発明によると、配線挿通空間内において、支柱に妨げられることなく、配線を左右方向に通すことができる。
【発明を実施するための最良の形態】
【００２５】
図１〜図１０は、本発明を、２連式のデスクに適用した第１の実施形態を示し、このうち、図１は、斜め前方より見た外観斜視図、図２は、天板を除く基本構造を斜め前方より見た斜視図である。
図１および図２に示すように、デスク１は、全てユニット化された部材により構成されたものであり、左右方向に適宜の間隔をもって配設した３個の支持体である脚２と、互いに隣接する１対の脚２、２上に支持された左右１対の天板３、３と、各脚２の上部後端に、結合手段４をもって結合され、３個の脚の相互間を連結する左右方向を向く２個の横連結材５と、横連結材５の中間部前面に固定され、天板３の左右方向の中間部下面を支持するブラケット６と、上記各結合手段４上に立設され、天板３と横連結材５との間に形成された上方に開口する左右方向に長い配線挿通空間７を通って上方に延出し、上端で、キャビネット８や、棚板、デスクトップパネル等の机上配設物を支持する支柱９と、配線挿通空間７における支柱９の挿通部以外の部分を覆うカバー１０とを備えている。
【００２６】
本発明は、カバー１０に特徴を有しており、それ以外の構成は、本発明に直接関係しないので、カバー１０以外の構成については、発明に関連する部分を除いて、詳細な説明を省略する。
【００２７】
図５に模式的に示すように、デスク１の最も外側の部分においては、横連結材５の側端が、偏位位置Ｈである脚２の外側面に整合するようにして(実際には、脚２の外側面より横連結材５の側端が外方に若干突出するようにして)、脚２と横連結材５とが、結合手段４をもって結合され、天板３は、その外側端が横連結材５の側端と整合するようにして、脚２の上面に取付けられている。
なお、図５は、デスク１の右側部を示し、デスク１の左側部は、図５に示すものと左右対称の構成となる。また、左右１対の脚２、２と、１枚の天板３と、１個の横連結材５のみからなる単位デスク(図示略)を構成するときは、その左右の側部は、図５に示す構成と、その左右対称の構成となる。
【００２８】
図６に模式的に示すように、デスク１の中央部分においては、左右の横連結材５、５の側端が、脚２の左右方向の中心に整合するセンター位置Ｃにおいて互いに突き合わされるようにして、左右の横連結材５、５は、中央の脚２の左右の側面に取り付けた１対の結合手段４、４をもって、それぞれ脚２に結合され、その結果、左右の横連結材５、５は、左右の結合手段４、４と脚２とを介して、互いに一直線状に並ぶようにして結合されている。
【００２９】
左右の天板３、３は、脚２のセンター位置Ｃにおいて、内側端同士が互いに突き合わされるようにして、また中央の脚２を共通の支持体として、それと外側の脚２との上端に載置され、かつ固着されている。
【００３０】
各結合手段４は、脚２の左右いずれかの側面(中央の脚２においてはその両側面)に取付けられ、横連結材５の前面における左右方向の任意の部位に結合しうるようになっている。
【００３１】
各支柱９は、脚２の中心線Ｃから左右方向に等距離をなすようにして、脚２の左右いずれかの側面に取付けられた結合手段４上に立設されている。
支柱９の前後幅は、配線挿通空間７の前後幅より小とし、支柱９と配線挿通空間７の前後壁との間に形成される空隙に、配線を挿通しうるようにしてある。
【００３２】
図１および図３〜図１２に示すように、カバー１０は、この例では、配線挿通空間７における最も近接して取り付けたときの左右１対の支柱９、９間を閉塞する１個(分割して複数個とすることもある)のメインカバー１１と、左右方向の寸法を、上記センター位置Ｃから偏位位置Ｈまでの距離に等しくした第１の調整カバー１２と、左右方向の寸法を、第１の調整カバー１２の倍とした第２の調整カバー１３との、左右方向の幅が異なる３種類の単位カバーを備えている。
【００３３】
この例では、１単位デスクについて、１個のメインカバー１１と、２個の第１の調整カバー１２と、２個の第２の調整カバー１３とを設けてある。
【００３４】
装着時におけるすべてのカバー１１〜１３の上面と、横連結材５および天板３の上面は、互いに同一の水平面をなすようにしてある。
【００３５】
図５と図６の比較から明らかなように、横連結材５の側端を、脚２に対して、センター位置Ｃに整合させたときと、偏位位置Ｈに整合させたときとで、横連結材５の側端から支柱９までの距離が、センター位置Ｃから偏位位置Ｈまでの距離に相当する１ピッチ分だけ変動する。
したがって、図５に示すように、横連結材５の側端を偏位位置Ｈに整合させたときは、配線挿通空間７における横連結材５の側端から支柱９までの間を、１個の第１の調整カバー１２と、１個の第２の調整カバー１３とにより覆い、支柱９より内側の部分を、メインカバー１１により覆うようにし、図６に示すように、横連結材５の側端をセンター位置Ｃに整合させたときは、配線挿通空間７における横連結材５の側端から支柱９までの間を、１個の第２の調整カバー１３のみにより覆い、支柱９が一ピッチ分だけ横連結材５の側端側に偏位したことに伴う支柱９とメインカバー１１の側端との間に形成される空隙部分を、１個の第１の調整カバー１２をもって覆うことにより、カバー１１〜１３の数や種類等を変えることなく、同一のカバー１１〜１３を並び替えるだけで、図５に示す態様と、図６に示す態様との２つの異なる態様に対処することができる。
【００３６】
次に、図７〜図１２を参照して、各カバー１１〜１３の支持構造について説明する。
図１０および図１１に示すように、第１の調整カバー１２と第２の調整カバー１３は、側面視ほぼ下向きコ字状をなし、上面前部に浅い凹入段部１２ａ、１３ａが設けられ、また後端に設けられた垂下片１２ｂ、１３ｂの下端には、第１の調整カバー１２においては１個、第２の調整カバー１３においては左右２個の倒立Ｕ字状の切欠き１４がそれぞれ設けられている。
【００３７】
第１の調整カバー１２の両側面のいずれか一方には、閉塞板１５が着脱自在に設けられている。この閉塞板１５は、第１の調整カバー１２の両側面のいずれにも付け替え可能となっている。
【００３８】
第１の調整カバー１２と第２の調整カバー１３とは、図１１に示すような受け部材１６をもって、横連結材５に着脱可能として受支されるようになっている。
受け部材１６は、図７〜図１０に示すように、横連結材５の前面上部に設けられ、開口部１７ａの上下幅より奥部１７ｂの上下幅を大とした左右方向を向くあり溝状の係止溝１７に嵌合係止されるようになっている。
【００３９】
受け部材１６は、調整カバー１２、１３を受支する受支部１８の後面に突設した軸部１９の後端に、左右幅を係止溝１７の開口幅より小とし、上下幅を係止溝１７の開口幅より大で、かつ係止溝１７の奥部１７ｂの上下幅とほぼ同一かまたはそれより小とした拡幅頭部２０を備えるものとしてある。
【００４０】
軸部１９は、係止溝１７の開口幅より小径の短寸の丸棒状としてあり、拡幅頭部２０は、外形が上下方向に長いほぼ長方形をなすが、一側上部に、側方に開口する切欠き２１を設けることにより、側方を向く鉤形の弾性片２２が形成されている。
この弾性片２２は、拡幅頭部２０を係止溝１７の奥部１７ｂ内において、前後方向を向く軸回りに回転させる際に、係止溝１７の奥部１７ｂの内面に圧接して、拡幅頭部２０の回動に抵抗力を付与するとともに、受け部材１６を係止溝１７に沿って移動させる際に、摺動抵抗を付与するようになっている。
受支部１８は、長方形の垂直板状の拡幅鍔部１８ａとしてある。
【００４１】
受け部材１６は、拡幅頭部２０の長手方向が水平となるように正規の姿勢より９０°側方に寝かした状態で、その拡幅頭部２０を、係止溝１７の開口部１７ａより奥部１７ｂまで挿入し、次いで、軸部１９を中心として、９０°逆の向きに回動させて、正規の姿勢に戻すだけで、横連結材５の所望の位置に簡単に装着することができるとともに、弾性片２２が係止溝１７の奥部１７ｂの内面に圧接することによる摺動抵抗に抗して、係止溝１７に沿って移動させることもできる。
【００４２】
第１の調整カバー１２は、上記のようにして横連結材５の前面に装着した１個の受け部材１６における拡幅鍔部１８ａと、それに対向する横連結材５の前面との間に、垂下片１２ｂを、切欠き１４が受け部材１６の軸部１９に跨嵌するようにして、上方より差し込むことにより、横連結材５に簡単に装着することができる。
【００４３】
第２の調整カバー１３は、上記のようにして横連結材５の前面に装着した２個の受け部材１６における拡幅鍔部１８ａと、それに対向する横連結材５の前面との間に、垂下片１３ｂを、左右の切欠き１４が左右の受け部材１６の軸部１９にそれぞれ跨嵌するようにして、上方より差し込むことにより、第１の調整カバー１２と同様に、横連結材５に簡単に装着することができる。
【００４４】
メインカバー１１は、図１２に示すような受け部材２３をもって、横連結材５に、後端部を中心に回動可能、かつ着脱可能として受支されている。
この受け部材２３は、上記受け部材１６と同様の軸部１９および拡幅頭部２０を備え、受支部２４のみが受け部材１６と相違している。
【００４５】
この受け部材２３の受支部２４は、メインカバー１１の後端部を枢支する左右方向の枢軸部２５と、メインカバー１１が前方を向く水平位置に位置しているときに、メインカバー１１の下面に当接するようにしたストッパ２６とを備えている。
【００４６】
メインカバー１１は、後端に、受け部材２３の枢軸部２５に嵌合しうる後方に向かって開口する左右方向の凹溝２７を設けた水平板状のもので、前部上面には、  第１および第２の調整カバー１２、１３におけるのと同様の浅い凹入段部１１ａが設けられ、また後下縁には、受け部材２３における枢軸部２５の直下の部分が嵌合しうるようにした切欠き２７ａが設けられている。
【００４７】
メインカバー１１は、受け部材１６と同様にして、横連結材５の前面に装着した１個の受け部材２３、または、左右方向に互いに離間するようにして装着した複数の受け部材２３における枢軸部２５の直下の部分が切欠き２７ａに嵌合するようにして、枢軸部２５に、後端の凹溝２７を嵌合するだけで、横連結材５に簡単に装着することができ、平常時は、下面がストッパ２６に当接してほぼ水平に支持され、枢軸部２５を中心として、前部を上向き回動させることにより、配線挿通空間７を開いて、そこから配線を出し入れすることができる。
【００４８】
したがって、メインカバー１１、第１および第２の調整カバー１２、１３のいずれも、横連結材５の前面に簡単に着脱できるとともに、並び替えや移動も自由に行うことができる。
【００４９】
図１３〜図１５は、本発明の第２の実施形態を示す。
この実施形態においては、第１の実施形態における中央の脚２に代えて、支持体として袖箱２８を用いている。
この袖箱２８の後端両側部には、図１５に模式的に示すように、左右方向の幅を脚２の幅と同一とした後方を向く支持板２９(その左方のもののみを図示)が、その外側面が袖箱２８の外側面と同一面となるようにして設けられおり、その支持板２９の両側面に、上記と同一の左右１対の結合手段４、４が取付けられ、この結合手段４、４をもって、左右１対の横連結材５、５が、それらの対向する側端同士が、袖箱２８および支持板２９の外側面と整合する偏位位置Ｈにおいて、互いに突き合わされるようにして、支持板２９に結合されている。
【００５０】
左右の天板３も、それらの対向する側端同士が、偏位位置Ｈにおいて、互いに突き合わされるようにして、右方の天板３は袖箱２８と右方の脚２とによって支持され、左方の天板３は、袖箱２８に固着された支持片(図示略)と左方の脚２とによって支持されている。
【００５１】
中央寄りの１対の支柱９、９は、それぞれ各結合手段４、４に上記と同様にして立設されているので、この例では、図１５に示すように、右方の横連結材５の左側端から右方の支柱９までの間隔は３ピッチ、左方の横連結材５の右側端から左方の支柱９まで間隔は１ピッチとなり、左方の支柱９と左方のメインカバー１１との間に、２ピッチ分の間隔が形成されることになる。
【００５２】
したがって、図１３および図１４に実線で、また図１５に想像線でそれぞれ示すように、右方の横連結材５の左側端から右方の支柱９までの間に、１個の第１の調整カバー１２と１個の第２の調整カバー１３とを配設し、左方の横連結材５の右側端から左方の支柱９までの間に、１個の第１の調整カバー１２を配設し、さらに、左方の支柱９と左方のメインカバー１１との間に、１個の第２の調整カバー１３を配設することにより、この場合にも、配線挿通空間７の中間部を、第１の実施形態におけるのと同一のカバー１０をもって、過不足なく覆うことができる。
【００５３】
本発明は、上記実施形態のみに限定されるものではなく、幾多の変形した態様での実施が可能である。
例えば、メインカバー１１、並びに第１および第２の調整カバー１２、１３の数および左右方向の長さは、状況に応じて適宜変更することができるとともに、長さの異なるカバーの種類も適宜変更することができる。
【図面の簡単な説明】
【００５４】
【図１】本発明の第１の実施形態であるデスク装置の外観斜視図である。
【図２】同じく、天板を外したときの基本構成を示す一部分解斜視図である。
【図３】図１の円III部を拡大して示す部分斜視図である。
【図４】図１の円IV部を拡大して示す部分斜視図である。
【図５】デスク装置の後右側部を模式的に示す平面図である。
【図６】デスク装置の左右方向の中間部の後部を模式的に示す平面図である。
【図７】図３のVII−VII線に沿う拡大縦断側面図である。
【図８】図３のVIII−VIII線に沿う拡大縦断側面図である。
【図９】図３のIX−IX線に沿う拡大縦断側面図である。
【図１０】カバーの取付部分を示す部分斜視図である。
【図１１】第１および第２の調整カバーとその受け部材とを斜め後方より見た分解斜視図である。
【図１２】メインカバーとその受け部材とを斜め後方より見た分解斜視図である。
【図１３】本発明の第２の実施形態であるデスク装置の外観斜視図である。
【図１４】図１３の円XIV部を拡大して示す部分斜視図である。
【図１５】第２の実施形態であるデスク装置の左右方向の中間部の後部を模式的に示す平面図である。
【符号の説明】
【００５５】
１  デスク
２  脚(支持体)
３  天板  
４  結合手段
５  横連結材
６  ブラケット
７  配線挿通空間
８  キャビネット(机上配設物)
９  支柱
１０  カバー
１１  メインカバー
１１ａ凹入段部
１２  第１の調整カバー
１２ａ凹入段部
１２ｂ垂下片
１３  第２の調整カバー
１３ａ凹入段部
１３ｂ垂下片
１４  切欠き
１５  閉塞板
１６  受け部材
１７  係止溝
１７ａ開口部
１７ｂ奥部
１８  受支部
１８ａ拡幅鍔部
１９  軸部
２０  拡幅頭部
２１  切欠き
２２  弾性片
２３  受け部材
２４  受支部
２５  枢軸部
２６  ストッパ
２７  凹溝
２７ａ切欠き
２８  袖箱
２９  支持板
【図１】
0005064175.tif 000002
【図２】
0005064175.tif 000003
【図３】
0005064175.tif 000004
【図４】
0005064175.tif 000005
【図５】
0005064175.tif 000006
【図６】
0005064175.tif 000007
【図７】
0005064175.tif 000008
【図８】
0005064175.tif 000009
【図９】
0005064175.tif 000010
【図１０】
0005064175.tif 000011
【図１１】
0005064175.tif 000012
【図１２】
0005064175.tif 000013
【図１３】
0005064175.tif 000014
【図１４】
0005064175.tif 000015
【図１５】
0005064175.tif 000016